(57)【要約】【課題】接続部材の補助を必要とすることなく自転車のシートポストに設けることができる自転車用の警告表示装置を提供する。【解決手段】自転車のシートポストは自転車のフレームの上に設けられた第一端と、サドルに接続する第二端とを具えてなり、該第二端は湾曲部を設けてアームを形成し、且つ該アームの上にカバーと接続して設けられる。【選択図】図2
0003126641.tif 000002
【実用新案登録請求の範囲】
【請求項１】
自転車のシートポストは自転車のフレームの上に設けられた第一端と、サドルに接続する第二端とを具えてなり、該第二端は湾曲部を設けてアームを形成し、且つ該アームの上にカバーと接続して設けられることを特徴とする自転車用の警告表示装置。
【請求項２】
前記アームは水平方向に延伸して設けられることを特徴とする請求項１に記載の自転車用の警告表示装置。
【請求項３】
前記アームはサドルに対向する上表面に接続面を形成することを特徴とする請求項１に記載の自転車用の警告表示装置。
【請求項４】
前記カバーはアームの末端に設けられるとともに、警告表示装置を接続するために供する設置空間を具えてなることを特徴とする請求項１に記載の自転車用の警告表示装置。
【請求項５】
前記警告表示装置は表示灯であることを特徴とする請求項１に記載の自転車用の警告表示装置。
【請求項６】
前記警告表示装置は反射材であることを特徴とする請求項１に記載の自転車用の警告表示装置。
【考案の詳細な説明】
【技術分野】
【０００１】
この考案は、警告表示装置に関し、特に自転車などに取り付けて事故を防止する自転車用の警告表示装置に関する。
【背景技術】
【０００２】
自転車の走行における安全を確保するため、通常、自転車のフレーム上にはいずれも表示灯、もしくは光に反射して光る反射材など各種警告表示装置が設けられ、自転車の周囲の人や車両に注意を及ぼす効果を達成する。自転車の後方から来る車両に注意を及ぼすため、自転車の多くはフレームの後方に警告表示装置が設けられている。
【０００３】
警告表示装置は、従来のサドルのシートポストの後方に接続して設けられている。警告表示装置は挟持具、もしくはその他各種接続部材によりシートポスト上に挟持し、固定して設ける。接続部材を利用して間接的にシートポストに接続するため、接続が面倒であるだけでなく、安定性に欠けるか、もしくは長期に渡ってフレームの振動の影響を受けると接続部材とシートポストが緩むことにより、警告表示装置の接続する角度、もしくは高さが偏った位置に設けられるようになり表示装置が傾き、後方から走行してくる車両に対して有効に警告を与えることができない。
【考案の開示】
【考案が解決しようとする課題】
【０００４】
この考案は、接続部材の補助を必要とすることなく自転車のシートポストに設けることができる自転車用の警告表示装置を提供することを課題とする。
【課題を解決するための手段】
【０００５】
そこで、本考案の考案者は従来の技術に見られる欠点に鑑みて鋭意研究を重ねた結果、自転車のシートポストは自転車のフレームの上に設けられた第一端と、サドルに接続する第二端とを具えてなり、該第二端は湾曲部を設けてアームを形成し、且つ該アームの上にカバーと接続して設けられることができる構造からなる。
【０００６】
以下、この考案について具体的に説明する。
請求項１に記載する警告表示装置は、自転車のシートポストが自転車のフレームの上に設けられた第一端と、サドルに接続する第二端とを具えてなり、該第二端は湾曲部を設けてアームを形成し、且つ該アームの上にカバーと接続して設けられる。
【０００７】
請求項２に記載の自転車用の警告表示装置は、請求項１におけるアームが水平方向に延伸して設けられる。
【０００８】
請求項３に記載の自転車の警告表示装置は、請求項１におけるアームがサドルに対向する上表面に接続面を形成する。
【０００９】
請求項４に記載の自転車用の警告表示装置は、請求項１におけるカバーがアームの末端に設けられるとともに、警告表示装置を接続するために供する設置空間を具えてなる。
【００１０】
請求項５に記載の自転車用の警告表示装置は、請求項１における警告表示装置が表示灯である。
【００１１】
請求項６に記載の自転車用の警告表示装置は、請求項１における警告表示装置が反射材である。
【考案の効果】
【００１２】
この考案の自転車用の警告表示装置は、接続部材を必要とすることなく自転車に設けることができるため長期間使用しても接続位置が変わることなく有効に警告を与えることができることができる効果を有する。
【考案を実施するための最良の形態】
【００１３】
この考案は、接続部材の補助を必要とすることなく自転車のシートポストに設けることができる自転車用の警告表示装置であって、自転車のシートポストは自転車のフレームの上に設けられた第一端と、サドルに接続する第二端とを具えてなり、該第二端は湾曲部を設けてアームを形成し、且つ該アームの上にカバーと接続して設けられることができる。
かかる自転車用の警告表示装置の構造と特徴を詳述するために具体的な実施例を挙げ、図示を参照にして以下に説明する。
【実施例】
【００１４】
図１は、自転車１０を示したものである。該自転車１０のシートポスト１２上には警告表示装置２０が設けられている。図２に開示するように、シートポスト１２は自転車のフレーム１４とサドル１６との間に設けられた中空の管体か、もしくは中空でない桿体からなる。シートポスト１２はフレーム１４上の第一端１２２と、サドル１６に接続した第二端１２４とを具えてなる。
【００１５】
該第二端１２４は湾曲部１２６にを設けてアーム１２８を形成する。該アーム１２８は末端にカバー１２８２を設けてなり、且つカバー１２８２は内部で警告表示装置２０に接続する。該警告表示装置２０は、表示灯と反射材などを利用するだけでなく、ライトや反射などの方法を利用して警報や表示の効果を発揮する部材であればよい。
【００１６】
シートポスト１２は湾曲を利用して形成したアーム１２８が水平方向から自転車のフレーム１４の後方に向けて延伸し、且つアーム１２８のサドル１６に対向する上表面には接続面１２８４が形成されサドル１６の下方に設けられた接続部材１６２に接続する。また、アーム１２８の末端に設けられたカバー１２８２上に開口を備えた設置空間を設ける。該設置空間の内部の空間と開口のサイズは警告表示装置２０の外観のサイズや規格に合わせて形成する。
【００１７】
使用する場合には図３に開示するように、カバー１２８２の設置空間１２８６内に設けられた警告表示装置２０は、設置空間１２８６内の表示灯、もしくは反射材に固定して接続することができる。該警告表示装置２０は設置空間１２８６と螺接、嵌合などの方法で機械的に接続して固定する目的を達成し、警告表示装置２０を設置空間１２８６内に固定して粘着する粘着材などを使用してもよい。
【００１８】
また、警告表示装置２０は、カバー１２８２の設置空間１２８６を利用してカバー１２８２の一部で被覆する。図４、図５に開示するように、警告表示装置２０はライトカバー２２と、発光素子２４２に設けられた電気回路板２４と、電池２４４と、電源スイッチ２４６などを含んでなる。
【００１９】
ライトカバー２２はカバー１２８２に接続し、内部空間３０を形成するとともに、電気回路板２４と、電池２４４と、電源スイッチ２４６が内部空間３０に設けられる。よって、外部の雨水や塵が内部空間３０に進入することを防ぐため、ライトカバー２２とカバー１２８２の接続箇所には密封パッド２６が設けられ、雨水、塵などが隙間から内部に進入することを防ぐことができる。
【００２０】
上述の構造により、この考案のシートポスト１２に設けられる警告表示装置２０は接続する作用を具えてなり、警告表示装置２０をシートポスト１２上に固定して接続するために連接部材を必要としないため、従来の欠点を改善した。
【００２１】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２２】
【図１】この考案の警告表示装置を自転車に設けた状態を示した側面図である。
【図２】この考案の警告表示装置を設けた自転車のシートポストを示した部分拡大図である。
【図３】図２に開示したシートポストを示した部分拡大側面図である。
【図４】図２に開示したシートポストを示した部分拡大断面図である。
【図５】図２に開示したシートポストを分解した状態を示した部分拡大図である。
【符号の説明】
【００２３】
１０        自転車
１２        シートポスト
１２２      第一端
１２４      第二端
１２６      湾曲部
１２８      アーム
１２８２    カバー
１２８４    接続面
１２８６    設置空間
１４        フレーム
１６        サドル
１６２      接続部材
２０        警告表示装置
２２        ライトカバー
２４        電気回路板
２４２      発光素子
２４４      電池
２４６      電源スイッチ
２６        密封パッド
３０        内部空間
【図１】
0003126641.tif 000003
【図２】
0003126641.tif 000004
【図３】
0003126641.tif 000005
【図４】
0003126641.tif 000006
【図５】
0003126641.tif 000007